(57)【要約】【課題】歯科治療中、患者自身が、ティッシュペーパを自由に取り出すことができ、使用後のティッシュペーパを患者自身で簡単に捨てることができるようにしたスピットン装置を提供する。【解決手段】スピットン３を備えた給排水ボックス４の上面に、ティッシュペーパ箱２０を収納するための凹部１１と、使用後のティッシュペーパを捨てるための穴１３を有する。ティッシュペーパを捨てる穴１３の下部に、該穴１３に捨てられたティッシュペーパを受けるためのゴミ箱３０、又は、ティッシュペーパを捨てる穴１３に上部より挿脱自在に装着されるゴミ箱４０を有する。【選択図】図１
2007260230.tif 000002
【特許請求の範囲】
【請求項１】
スピットンを備えた給排水ボックスの上面に、ティッシュペーパを収納するための凹部と、使用後のティッシュペーパを捨てるための穴を有することを特徴とする歯科用スピットン装置。
【請求項２】
前記ティッシュペーパを捨てる穴に挿脱自在に装着されるゴミ箱を有することを特徴とする請求項１に記載の歯科用スピットン装置。
【請求項３】
前記ティッシュペーパを捨てる穴の下部に、該穴に捨てられたティッシュペーパを受けるためのゴミ箱を挿脱自在に有することを特徴とする請求項１に記載の歯科用スピットン装置。
【請求項４】
前記ティッシュペーパを収納する凹部は、ティッシュペーパ箱を挿脱可能な大きさであることを特徴とする請求項１に記載の歯科用スピットン装置。
【請求項５】
前記凹部及び／又は前記穴を覆うカバー部材を一体的に有することを特徴とする請求項１に記載の歯科用スピットン装置。
【請求項６】
前記凹部を覆うカバー部材は、該凹部に収納されたティッシュペーパ箱からティッシュを取り出すための穴が設けられていることを特徴とする請求項５に記載の歯科用スピットン装置。
【発明の詳細な説明】
【技術分野】
【０００１】
本発明は、歯科用スピットン装置、より詳細には、歯科治療時において、患者が、歯科治療前に或いはうがい後に、口腔周辺を拭いたりするためのティッシュペーパと、使用した後のティッシュペーパを捨てるためのゴミ箱とを配設可能とした歯科用スピットン装置に関する。
【背景技術】
【０００２】
図２は、本発明が適用されるスピットン装置を有する歯科治療ユニットの一例を示す全体構成図で、該歯科治療ユニットは、治療椅子１，ワークテーブル２，スピットン３，該スピットン３にうがい水を供給し、うがいした後の水を排出する給排水ボックス４，無影灯５，ドクタ用インスツルメントホルダー６，フットスイッチ７，アシスタント用インスツルメントホルダー８等から成り、インスツルメントホルダー６には、歯科治療において使用する種々のインスツルメント９が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行なう。
【０００３】
歯科治療中に、患者は、時々、口腔内をうがいするが、このうがいは、例えば、スピットン３の近傍（給排水ボックス４の上面）に載置されているコップにうがい水を入れ、このコップ内のうがい水を用いて口腔内をうがいし、うがいした後の水をスピットン３内に吐き出すことによって行っている。
【発明の開示】
【発明が解決しようとする課題】
【０００４】
上述のように、歯科治療中、患者は、時々、うがいをするが、うがい後、口元をティッシュペーパ等で拭いている。しかし、通常、ティッシュペーパは患者の手の届く範囲になく、アシスタントがティッシュ箱ごと持ってきてくれるのが一般的であった。しかし、うがい時、アシスタントが他の仕事に追われ、必ずしも、患者の傍にいてくれるとは限らず、うがいの都度、ティッシュ箱を必ずもってきてくれるとは限らず、また、使用後の汚れたティッシュをアシスタントに始末してもらわなければならず、患者にとっても、アシスタントにとっても、神経を使う割には、非能率的で、面倒くさい作業であった。
【０００５】
本発明は、上述のごとき実情に鑑みてなされたもので、歯科治療中の使用したい時に患者が自由に取り出すことのできるティッシュペーパ収納機能と、使用後のティッシュペーパを、簡単に捨てることのできるティッシュペーパ回収機能とを備えたスピットン装置を提供することを目的としてなされたものである。
【課題を解決するための手段】
【０００６】
請求項１の発明は、スピットンを備えた給排水ボックスの上面に、ティッシュペーパを収納するための凹部と、使用後のティッシュペーパを捨てるための穴を有することを特徴としたものである。
【０００７】
請求項２の発明は、請求項１の発明において、前記ティッシュペーパを捨てる穴に挿脱自在に装着されるゴミ箱を有することを特徴としたものである。
【０００８】
請求項３の発明は、請求項１の発明において、前記ティッシュペーパを捨てる穴の下部に、該穴に捨てられたティッシュペーパを受けるためのゴミ箱を挿脱自在に有することを特徴としたものである。
【０００９】
請求項４の発明は、請求項１の発明において、前記ティッシュペーパを収納する凹部は、ティッシュペーパ箱を挿脱可能な大きさであることを特徴としたものである。
【００１０】
請求項５の発明は、請求項１の発明において、前記凹部及び／又は前記穴を覆うカバー部材を一体的に有することを特徴としたものである。
【００１１】
請求項６の発明は、請求項５の発明において、前記凹部を覆うカバー部材は、該凹部に収納されたティッシュペーパ箱からティッシュを取り出すための穴が設けられていることを特徴としたものである。
【発明の効果】
【００１２】
本発明によると、歯科治療中、患者自身が、ティッシュペーパを自由に取り出すことができ、使用後のティッシュペーパを患者自身で簡単に捨てることができるようにしたので、アシスタントの手を煩わすことなく、患者は、いつでも自由にティッシュペーパを使用できるので、能率的かつ衛生的に歯科治療を受けることができる。
【発明を実施するための最良の形態】
【００１３】
図１は、本発明によるスピットン装置の一実施例を説明するための要部概略構成図で、図中、３はスピットン、４はうがい水を供給し、うがい後の水を排水する給排水ボックスで、ここでは、これらスピットン３と給排水ボックス４を含めてスピットン装置と称する。給排水ボックス４の上には、周知のように、うがい水を放出するための噴水管や該噴水管から放水された水を受けるコップが配置されており、うがい時、患者は、該コップに噴水管より注がれた水で口腔内をうがいし、うがい後の水をスピットン３内に吐き出すようにしている。
【００１４】
患者は、うがい水を吐き出した後に、口元をティッシュ等を用いて拭くが、その際、一般的には、ティッシュが近くになく、アシスタントが持ってきてくれる。更には、使用後のティッシュも、一般的には、近くにゴミ箱がなく、アシスタントに始末してもらっている。
【００１５】
本発明は、上述のごとき実情に鑑みてなされたもので、図中、１１は給排水ボックス４の上部に設けられた凹部で、該凹部には、好ましくは、市販のティッシュ箱２０がそのまま収納されるようになっている。患者は、ティッシュペーパを使用したい時は、アシスタントの手を煩わすことなく、該凹部１１に収納されたティッシュペーパ箱２０から自由にティッシュペーパを取り出して使用することができる。アシスタントは、ティッシュ箱内のティッシュがなくなった時に、ティッシュ箱毎取り換えればよく、簡単かつ衛生的にティッシュ箱の交換を行うことができる。
【００１６】
このティッシュ箱を入れる凹部１１には、好ましくは、カバー（蓋）１２が設けられており、該カバー１２にて凹部１１を覆っておくと、うがい時、スピットン３から飛び散った水滴がティッシュペーパ等にかかることがなく、ティッシュペーパを衛生的に保つことができる。更には、このカバー１２に、ティッシュペーパを取り出すための穴１２ａを設けておくことも可能で、このようにすれば、ティッシュペーパを衛生的に保つことができ、しかも、ティッシュペーパの取り出しも容易に行うことができる。
【００１７】
給排水ボックス４の上部には、使用後のティッシュペーパを捨てるための穴１３が設けられており、患者は、使用後のティッシュペーパを該穴１３内に捨てる。この穴１３の下方には、捨てられたティッシュペーパを受けるためのゴミ箱３０が配置されている。このゴミ箱３０は、図示例の場合、給排水ボックス４の側部に設けられた切り欠き穴４ａを通して出し入れ可能になっており、ゴミ箱３０内にティッシュペーパが溜まった時等、適時に取り出され、溜まったティッシュペーパを捨て、洗浄等がなされ、再度、該切り欠き穴４ａを通して、給排水ボックス４内に配置される。なお、この切り欠き穴（ゴミ箱出し入れ口）４ａは、開放しておいてもよいが、図示のように、カバー（蓋）４ｂを設け、常時は、該カバー４ｂによって閉じておくようにしてもよい。
【００１８】
以上には、ゴミ箱３０を給排水ボックス４の側部に設けられた切り欠き穴４ａを通して出し入れする場合の例について説明したが、それに代って、ティッシュペーパ捨て穴１３に上方から出し入れ可能なゴミ箱４０を設け、該ゴミ箱を穴１３内に配設し、該ゴミ箱４０に捨てられたティッシュペーパが溜まった時に、該穴１３から取り出して溜まったティッシュペーパを捨てるようにしてもよい。更に、この穴１３に対してカバー（蓋）１４を設け、常時は、該カバー１４によって穴１３を閉じておくようにしてもよい。
【図面の簡単な説明】
【００１９】
【図１】本発明によるスピットン装置の一実施例を説明するための要部概略構成図である。
【図２】本発明が適用されるスピットン装置を有する歯科治療ユニットの一例を示す全体構成図である。
【符号の説明】
【００２０】
３…スピットン、４…給排水ボックス、４ａ…切り欠き穴、４ｂ…カバー、１１…ティッシュペーパ箱を収納するための凹部、１２…凹部１１のカバー（蓋）、１３…使用後のティッシュペーパを捨てるための穴、１４…穴１３のカバー（蓋）、２０…ティッシュ箱、３０，４０…ゴミ箱。
【図１】
2007260230.tif 000003
【図２】
2007260230.tif 000004